(57)【要約】  端末において、SRS生成部は、参照信号（SRS）が割り当てられた第１の周波数リソースのパラメータ、及び、第１の周波数リソースに隣接し、第１の周波数リソースで用いるサブキャリア間隔（SCS）と異なるサブキャリア間隔を用いる第２の周波数リソースのパラメータに基づいて、第１の周波数リソースと第２の周波数リソースとの境界において参照信号をパンクチャする。無線送信部は、パンクチャされた参照信号を送信する。
2018203440.tif 000002
【特許請求の範囲】
【請求項１】
参照信号が割り当てられた第１の周波数リソースのパラメータ、及び、前記第１の周波数リソースに隣接し、前記第１の周波数リソースで用いるサブキャリア間隔と異なるサブキャリア間隔を用いる第２の周波数リソースのパラメータに基づいて、前記第１の周波数リソースと前記第２の周波数リソースとの境界において前記参照信号をパンクチャする回路と、
前記パンクチャされた参照信号を送信する送信機と、
を具備する端末。
【請求項２】
前記第１の周波数リソースのサブキャリア間隔が、前記第２の周波数リソースのサブキャリア間隔よりも大きいほど、前記参照信号をパンクチャするpunctureサイズは大きい、
請求項１に記載の端末。
【請求項３】
前記第１の周波数リソースのサブキャリア間隔が大きいほど、前記参照信号をパンクチャするpunctureサイズは大きい、
請求項１に記載の端末。
【請求項４】
前記参照信号は、符号系列の部分と、前記符号系列の一部をコピーした拡張部分とからなる拡張符号系列であり、
前記拡張部分のサイズが大きいほど、前記参照信号をパンクチャするpunctureサイズは大きい、
請求項１に記載の端末。
【請求項５】
前記回路は、前記第２の周波数リソースで使用されるチャネル種別又はサービス種別の優先度が高いほど、前記参照信号をパンクチャするpunctureサイズは大きい、
請求項１に記載の端末。
【請求項６】
前記第２の周波数リソースに割り当てられる信号の電力スペクトル密度（PSD）が、前記参照信号のPSDより低いほど、前記参照信号をパンクチャするpunctureサイズは大きい、
請求項１に記載の端末。
【請求項７】
参照信号が割り当てられた周波数リソースのうち、前記参照信号以外の他のチャネルが割り当てられた周波数リソースと重複する部分をパンクチャする回路と、
前記パンクチャされた参照信号を送信する送信機と、
を具備する端末。
【請求項８】
参照信号をパンクチャするpunctureサイズに基づいて、前記参照信号を生成する方法を変更する回路と、
前記変更後の方法を用いて生成された前記参照信号を送信する送信機と、
を具備する端末。
【請求項９】
前記参照信号は、符号系列の部分と、前記符号系列の一部をコピーした拡張部分とからなる拡張符号系列であり、
前記回路は、前記punctureサイズが閾値以上の場合、前記punctureサイズを前記拡張部分のサイズに変更する、
請求項８に記載の端末。
【請求項１０】
前記回路は、前記punctureサイズが閾値以上の場合、前記参照信号が割り当てられた第１のリソースサイズから前記punctureサイズを引いた後の第２のリソースサイズ以下の素数を系列長とする符号系列から、前記第２のリソースサイズの参照信号を生成する、
請求項８に記載の端末。
【請求項１１】
前記送信機は、前記punctureサイズが閾値以上の場合、前記参照信号をドロップする、
請求項８に記載の端末。
【請求項１２】
参照信号が割り当てられた第１の周波数リソースのパラメータ、及び、前記第１の周波数リソースに隣接し、前記第１の周波数リソースで用いるサブキャリア間隔と異なるサブキャリア間隔を用いる第２の周波数リソースのパラメータに基づいて、前記第１の周波数リソースと前記第２の周波数リソースとの境界において前記参照信号をパンクチャし、
前記パンクチャされた参照信号を送信する、
通信方法。
【請求項１３】
参照信号が割り当てられた周波数リソースのうち、前記参照信号以外の他のチャネルが割り当てられた周波数リソースと重複する部分をパンクチャし、
前記パンクチャされた参照信号を送信する、
通信方法。
【請求項１４】
参照信号をパンクチャするpunctureサイズに基づいて、前記参照信号を生成する方法を変更し、
前記変更後の方法を用いて生成された前記参照信号を送信する、
通信方法。
【発明の詳細な説明】
【技術分野】
【０００１】
本開示は、端末及び通信方法に関する。
【背景技術】
【０００２】
5Gの標準化において、LTE/LTE-Advancedとは必ずしも後方互換性を持たない新しい無線アクセス技術（NR：New Radio）が3GPPで議論されている。【０００３】
NRでは、要求仕様が異なる複数のサービス（enhanced Mobile Broadband (eMBB)、Ultra-Reliable and Low Latency Communications (URLLC)、Massive Machine Type Communications (mMTC))をサポートするために、サービス毎に異なるサブキャリア間隔（subcarrier spacing、以下、「SCS」と呼ぶ）等の複数のnumerologyをサポートする。【０００４】
また、NRでは、SCSが異なる複数のサービスを周波数領域で多重することが検討されている。異なるSCSの信号が周波数領域で多重された場合、サブキャリアの直交性の崩れによるinter-numerology干渉が発生する。特に、異なるSCSの周波数リソースの境界（以下、「SCS境界（SCS boundary）」と呼ぶこともある）での干渉量が大きくなる。干渉を低減させるため、異なるSCSの周波数リソースの境界にGuard bandを設ける方法が検討されている（例えば、非特許文献１を参照）。【０００５】
LTEでは、端末（「UE（User Equipment）」と呼ぶこともある）が基地局（「eNB」又は「gNB」と呼ぶこともある）から割り当てられた無線リソースで、Sounding Reference Signal（以下、「SRS」と呼ぶ）と呼ばれる参照信号を送信する。基地局は、SRSの受信品質を測定することで、SRSの送信帯域における上り品質を推定する。基地局は、上り品質の推定値を用いて、端末の周波数スケジューリング又はリンクアダプテーション（適応変調符号化）を行う。また、LTEでは、SRSと他のチャネル（例えば、PUCCH（Physical Uplink Control Channel）等）との間で、送信タイミング又は送信リソースが重なった場合、端末がSRSを非送信（「ドロップ」と呼ぶこともある）にすることが可能である。【０００６】
LTEのSRSには、CM/PAPR（Cubic Metric/Peak to Average Power Ratio）が低く、相互相関特性が良いという利点を持つZadoff-Chu（ZC）系列が使用されている。
【先行技術文献】
【非特許文献】
【０００７】
【非特許文献１】R4-1700217, Ericsson, “On multiplexing of numerologies”, RAN4#NR AH, January 2017
【非特許文献２】R1-071339, Motorola, “Selection between Truncation and Cyclic Extension for UL RS”, RAN1#48bis, March 2007
【非特許文献３】R1-1702084, CATT, “Further discussion on SRS transmission”, RAN1#88, February 2017
【発明の概要】
【０００８】
NRでも、LTEと同様に、SRSの送信が検討されている。しかしながら、NRにおいて、異なるSCSの周波数リソースの境界にSRSが配置される場合、又は、SRSと、SRS以外のチャネルとの間で周波数リソースがオーバラップする場合におけるSRS用符号系列の生成方法については十分に検討がなされていない。
【０００９】
本開示の一態様は、異なるSCSの周波数リソースの境界にSRSが配置される場合、又は、SRSと、SRS以外のチャネルとの間で周波数リソースがオーバラップする場合においてSRS用符号系列を適切に生成することができる端末及び通信方法の提供に資する。
【００１０】
本開示の一態様に係る端末は、参照信号が割り当てられた第１の周波数リソースのパラメータ、及び、前記第１の周波数リソースに隣接し、前記第１の周波数リソースで用いるサブキャリア間隔と異なるサブキャリア間隔を用いる第２の周波数リソースのパラメータに基づいて、前記第１の周波数リソースと前記第２の周波数リソースとの境界において前記参照信号をパンクチャする回路と、前記パンクチャされた参照信号を送信する送信機と、を具備する。
【００１１】
本開示の一態様に係る端末は、参照信号が割り当てられた周波数リソースのうち、前記参照信号以外の他のチャネルが割り当てられた周波数リソースと重複する部分をパンクチャする回路と、前記パンクチャされた参照信号を送信する送信機と、を具備する。
【００１２】
本開示の一態様に係る端末は、参照信号をパンクチャするpunctureサイズに基づいて、前記参照信号を生成する方法を変更する回路と、前記変更後の方法を用いて生成された前記参照信号を送信する送信機と、を具備する。
【００１３】
本開示の一態様に係る通信方法は、参照信号が割り当てられた第１の周波数リソースのパラメータ、及び、前記第１の周波数リソースに隣接し、前記第１の周波数リソースで用いるサブキャリア間隔と異なるサブキャリア間隔を用いる第２の周波数リソースのパラメータに基づいて、前記第１の周波数リソースと前記第２の周波数リソースとの境界において前記参照信号をパンクチャし、前記パンクチャされた参照信号を送信する。
【００１４】
本開示の一態様に係る通信方法は、参照信号が割り当てられた周波数リソースのうち、前記参照信号以外の他のチャネルが割り当てられた周波数リソースと重複する部分をパンクチャし、前記パンクチャされた参照信号を送信する。
【００１５】
本開示の一態様に係る通信方法は、参照信号をパンクチャするpunctureサイズに基づいて、前記参照信号を生成する方法を変更し、前記変更後の方法を用いて生成された前記参照信号を送信する。
【００１６】
なお、これらの包括的または具体的な態様は、システム、装置、方法、集積回路、コンピュータプログラム、または、記録媒体で実現されてもよく、システム、装置、方法、集積回路、コンピュータプログラムおよび記録媒体の任意な組み合わせで実現されてもよい。
【００１７】
本開示の一態様によれば、異なるSCSの周波数リソースの境界にSRSが配置される場合、又は、SRSと、SRS以外のチャネルとの間で周波数リソースがオーバラップする場合においてSRS用符号系列を適切に生成することができる。
【００１８】
本開示の一態様における更なる利点および効果は、明細書および図面から明らかにされる。かかる利点および／または効果は、いくつかの実施形態並びに明細書および図面に記載された特徴によってそれぞれ提供されるが、１つまたはそれ以上の同一の特徴を得るために必ずしも全てが提供される必要はない。
【図面の簡単な説明】
【００１９】
【図１】図１は、extended ZC系列の一例を示す。
【図２】図２は、SRSの割り当て周波数の単位（粒度）の一例を示す。
【図３】図３は、SRSの周波数リソース及びSCS境界の一例を示す。
【図４】図４は、SRSの周波数リソースと他のチャネルの周波数リソースとが重複する例を示す。
【図５】図５は、実施の形態１に係る端末の一部の構成を示す。
【図６】図６は、実施の形態１に係る端末の構成を示す。
【図７】図７は、実施の形態１に係る基地局の構成を示す。
【図８】図８は、実施の形態１に係る端末の動作例を示す。
【図９】図９は、実施の形態１に係る基地局の動作例を示す。
【図１０】図１０は、実施の形態１に係るSRSのpuncture処理の一例を示す。
【図１１】図１１は、実施の形態１に係るSRSのpuncture処理の一例を示す。
【図１２】図１２は、実施の形態１の具体例１に係るpunctureサイズの決定方法の一例を示す。
【図１３】図１３は、実施の形態１の具体例１に係るSCSとオフセット値との関係の一例を示す。
【図１４】図１４は、実施の形態１の具体例１に係るSCSとオフセット値との関係の他の例を示す。
【図１５】図１５は、実施の形態１の具体例１に係るinter-numerology干渉の計算機シミュレーション結果を示す。
【図１６】図１６は、実施の形態１の具体例１に係るSCSが異なる信号の一例を示す。
【図１７】図１７は、実施の形態１の具体例１に係るパンクチャ後のinter-numerology干渉の計算機シミュレーション結果を示す。
【図１８】図１８は、実施の形態１の具体例１に係るパンクチャ後のinter-numerology干渉の計算機シミュレーション結果を示す。
【図１９】図１９は、実施の形態１の具体例２に係るSRSのpuncture処理の一例を示す。
【図２０】図２０は、実施の形態１の具体例３に係るSRSのpuncture処理の一例を示す。
【図２１】図２１は、実施の形態１の具体例３に係るチャネルとオフセット値との関係の一例を示す。
【図２２】図２２は、実施の形態１の具体例３に係るチャネルとオフセット値との関係の他の例を示す。
【図２３】図２３は、pure ZC及びextended ZCの特性を示す。
【図２４】図２４は、実施の形態３の具体例２に係るSRSの送信方法の一例を示す。
【図２５】図２５は、実施の形態３の具体例２に係るZC系列の特性の計算機シミュレーション結果を示す。
【発明を実施するための形態】
【００２０】
以下、本開示の実施の形態について図面を参照して詳細に説明する。
【００２１】
LTEのSRSには、CM/PAPR（Cubic Metric/Peak to Average Power Ratio）が低く、相互相関特性が良いという利点を持つZadoff-Chu（ZC）系列が使用されている。また、SRSに使用されるZC系列長は素数であり、SRSのリソースが割り当てられたPRB（Physical Resource Block, 1PRB = 12サブキャリア）サイズに合わせるため、図１に示すように、ZC系列の一部（図１では先頭）をコピーして系列を拡張したextended ZC系列（拡張符号系列。単に、extended ZCと呼ぶこともある）が用いられる。しかし、extended ZC又はZC系列の一部を削除したtruncation ZC（図示せず）は、純粋なZC系列と比較して、CM/PAPR及び相互相関特性等の特性が劣化する（例えば、非特許文献２を参照）。
【００２２】
なお、以下では、図１に示すように、拡張する前の純粋なZC系列の部分を「pure ZC part」と呼び、コピー元の部分を「repeated part」と呼び、コピーして拡張された部分を「extended part」と呼ぶ。
【００２３】
NRでは、通知又は規定されているルールに従って周期的にSRSを送信する「periodic SRS」、基地局からのトリガにより所定回数（例えば１回）のSRSを送信する「aperiodic SRS」、及び、SRSの送信の開始と停止を指示するトリガによりSRSを送信する「semi-persistent SRS」の３種類が想定される。
【００２４】
また、SRSの割り当て周波数の単位（粒度）は、例えば、図２に示すように、「sub-band（サブバンド）」と呼ばれる周波数単位になると考えられている。また、NRでは、LTE/LTE-Advancedよりもシステム帯域幅が広いため、システム帯域を分割した「partial band」と呼ばれる周波数単位で、SRSの送信が制御される可能性がある（例えば、非特許文献３を参照）。なお、「partial band」は「Carrier bandwidth part」と呼ばれることもある。
【００２５】
図３及び図４は、Periodic SRSの周波数・時間リソースを用いて、端末が周期的にSRSを送信する一例を示す。
【００２６】
LTEのPeriodic SRSの周波数・時間リソースは、静的に（又は準静的に）変更され、動的に変更できない。一方で、図３に示すように、NRのSCS境界は、例えば、各サービスのリソース割当に伴って動的に変更される場合がある。この場合、図３に示すように、SCS境界が動的に変更されることで、SRS（図３ではSRS#3）がSCS境界の周辺に配置される場合がある。この場合、inter-numerology干渉を低減させるために、SRSが割り当てられた周波数領域の一部を非送信にする（「パンクチャ（puncture）する」とも呼ぶ）必要がある。
【００２７】
また、SRSが、SCS境界の周辺に配置されない場合でも、図４に示すように、SRSと他のチャネルとの間で周波数リソース（周波数帯）がオーバラップ（重複）する場合、SRSが割り当てられた周波数リソースの一部をpunctureする必要がある。
【００２８】
しかしながら、SRSがpunctureされる場合にextended ZC系列のCM/PAPR及び相互相関特性の劣化が懸念される。そこで、本開示の一態様では、SRSがpunctureされる場合の効率的なpuncture方法、及び、punctureを行う場合のextended ZC系列生成方法について説明する。
【００２９】
（実施の形態１）
［通信システムの概要］
本開示の各実施の形態に係る通信システムは、端末１００及び基地局２００を備える。
【００３０】
なお、本実施の形態では、periodic SRSを想定した場合について説明するが、本実施の形態はperiodic SRSに限定されず、aperiodic SRS又はsemi-persistent SRSにも同様に適用できる。
【００３１】
図５は本開示の実施の形態に係る端末１００の一部の構成を示すブロック図である。図５に示す端末１００において、SRS生成部１０７は、参照信号（SRS）が割り当てられた第１の周波数リソースのパラメータ、及び、第１の周波数リソースに隣接し、第１の周波数リソースで用いるサブキャリア間隔（SCS）と異なるサブキャリア間隔を用いる第２の周波数リソースのパラメータに基づいて、第１の周波数リソースと第２の周波数リソースとの境界において参照信号をパンクチャする。無線送信部１０９は、パンクチャされた参照信号を送信する。
【００３２】
［端末の構成］
図６は、本実施の形態に係る端末１００の構成を示すブロック図である。図６において、端末１００は、アンテナ１０１と、無線受信部１０２と、復調・復号部１０３と、制御情報保持部１０４と、Punctureサイズ決定部１０５と、SRS生成指示部１０６と、SRS生成部１０７と、リソース割当部１０８と、無線送信部１０９と、を有する。
【００３３】
無線受信部１０２は、アンテナ１０１を介して受信した受信信号に対して、ダウンコンバート、Ａ／Ｄ変換等の受信処理を施し、受信信号を復調・復号部１０３へ出力する。
【００３４】
復調・復号部１０３は、無線受信部１０２から入力される受信信号に対して復調及び復号を行い、復号結果から、基地局２００から送信された端末１００宛てのSRSリソース情報、及び、SRS用符号系列及びSRSのpunctureサイズを決定するための制御情報を抽出する。復調・復号部１０３は、抽出した情報を制御情報保持部１０４、及び、他の構成部（図示せず）に出力する。
【００３５】
SRSリソース情報には、例えば、端末１００がSRSを送信する、周波数リソース情報（例えば、SRS帯域幅、システム帯域内のsub-band番号、Partial band番号等）、時間リソース情報（例えば、slot番号、OFDM（Orthogonal Frequency Division Multiplexing）シンボル番号など）、符号系列情報（例えば、系列番号）等が含まれる。なお、全てのSRSリソース情報が端末１００に対して同時に通知される必要はない。例えば、SRSリソース情報の一部の情報はセル共通情報として、又は、準静的な通知情報として端末１００に通知されてもよい。また、SRSリソース情報の一部の情報は、スペックで規定されたシステム共通情報とし、端末１００に通知されなくてもよい。
【００３６】
SRS用符号系列及びSRSのpunctureサイズを決定するための制御情報の詳細については後述する。
【００３７】
制御情報保持部１０４は、復調・復号部１０３から入力される情報のうち、Periodic SRSの送信に使用される制御情報（例えば、SRSの周波数リソース、ホッピングパターン等）を保持する。制御情報保持部１０４が保持する制御情報には準静的な制御情報、及び、動的な制御が含まれる。制御情報保持部１０４は、保持した制御情報を、必要に応じてPunctureサイズ決定部１０５、SRS生成指示部１０６、又は、リソース割当部１０８に出力する。
【００３８】
Punctureサイズ決定部１０５は、制御情報保持部１０４から入力される制御情報に基づいて、SRSのpunctureサイズを決定する。Punctureサイズ決定部１０５におけるSRSのpunctureサイズの決定方法の詳細については後述する。Punctureサイズ決定部１０５は、決定したpunctureサイズをSRS生成指示部１０６に出力する。
【００３９】
SRS生成指示部１０６は、制御情報保持部１０４から入力される制御情報、及び、Punctureサイズ決定部１０５から入力されるpunctureサイズに基づいて、pure ZC partのサイズ、punctureサイズ（又は、extended partのサイズ)、系列番号等のSRS生成に必要な情報を設定し、SRS生成部１０７に出力する。
【００４０】
SRS生成部１０７は、SRS生成指示部１０６から入力されるpure ZC partのサイズ、Punctureサイズ、系列番号等のSRS生成に必要な情報に基づいて、SRS用符号系列（例えば、ZC系列）を生成する。SRS生成部１０７は、生成した符号系列をSRSとして、リソース割当部１０８に出力する。
【００４１】
リソース割当部１０８は、制御情報保持部１０４から入力されるSRSリソース情報に含まれる時間・周波数リソースに、SRS生成部１０７から入力されるSRS（符号系列）をマッピングし、マッピング後の信号を無線送信部１０９へ出力する。なお、SRSがマッピングされた信号に対してIFFT（Inverse Fast Fourier Transform）が施されてもよい（図示せず）。
【００４２】
無線送信部１０９は、リソース割当部１０８から入力される信号に対してＤ／Ａ変換、アップコンバートを施し、得られた無線信号をアンテナ１０１から基地局２００へ送信する。
【００４３】
［基地局の構成］
図７は、本実施の形態に係る基地局２００の構成を示すブロック図である。図７において、基地局２００は、制御情報生成部２０１と、制御情報保持部２０２と、変調・符号化部２０３と、無線送信部２０４と、アンテナ２０５と、無線受信部２０６と、復調・復号部２０７と、Punctureサイズ決定部２０８と、SRS生成指示部２０９と、レプリカ生成部２１０と、品質推定部２１１と、スケジューリング部２１２と、を有する。
【００４４】
制御情報生成部２０１は、後述するスケジューリング部２１２からの指示に基づいて、SRSリソース情報、及び、SRS用符号系列及びSRSのPunctureサイズを決定するための制御情報（上述した端末１００が受信した制御情報と同様の情報）を端末１００に通知するための制御信号を生成し、制御情報保持部２０２及び変調・符号化部２０３へ出力する。
【００４５】
なお、前述したように、基地局２００は、全てのSRSリソース情報を端末１００へ同時に通知する必要はない。Partial bandサイズ、Periodic SRSの送信に使用される準静的な通知情報（SRSの周波数リソース、ホッピングパターンなど）等の複数の端末１００で共通の情報の一部は、セル固有の情報として基地局２００が収容する複数の端末１００に通知してもよい。また、制御情報は、DCI（Downlink Control Information）、MAC（Medium Access Control）、RRC（Radio Resource Control）の何れかの情報、又は、これらを複数組み合わせて通知されてもよい。
【００４６】
制御情報保持部２０２は、制御情報生成部２０１から入力される制御情報を保持し、保持した制御情報を、必要に応じてPunctureサイズ決定部２０８又はSRS生成指示部２０９に出力する。
【００４７】
変調・符号化部２０３は、制御情報生成部２０１から入力される制御信号を変調及び符号化し、符号化後の信号を無線送信部２０４へ出力する。
【００４８】
無線送信部２０４は、変調・符号化部２０３から入力される信号に対してＤ／Ａ変換、アップコンバート、増幅等の送信処理を施し、送信処理により得られた無線信号をアンテナ２０５から端末１００へ送信する。
【００４９】
無線受信部２０６は、アンテナ２０５を介して受信した端末１００からの信号に対してダウンコンバート、Ａ／Ｄ変換等の受信処理を施し、受信信号を復調・復号部２０７へ出力する。
【００５０】
復調・復号部２０７は、無線受信部２０６から入力される受信信号を復調及び復号し、復号した信号を品質推定部２１１へ出力する。
【００５１】
Punctureサイズ決定部２０８は、制御情報保持部２０２から入力される制御情報に基づいて、SRS（レプリカ信号）のpunctureサイズを決定する。なお、Punctureサイズ決定部２０８は、例えば、システムの規定又は基地局２００から端末１００への通知等によって事前に端末１００と基地局２００との間で認識を合わせた生成方法に基づいてPunctureサイズを決定する。Punctureサイズ決定部２０８は、決定したpunctureサイズをSRS生成指示部２０９に出力する。
【００５２】
SRS生成指示部２０９は、制御情報保持部２０２から入力される制御情報、及び、Punctureサイズ決定部２０８から入力されるpunctureサイズに基づいて、pure ZC partのサイズ、Punctureサイズ（又は、extended partのサイズ)、系列番号等のSRS生成に必要な情報を設定し、レプリカ生成部２１０に出力する。
【００５３】
レプリカ生成部２１０は、SRS生成指示部２０９から入力されるpure ZC partのサイズ、Punctureサイズ、系列番号等のSRS生成に必要な情報に基づいて、端末１００でSRSとして生成されるSRS用符号系列と同一系列（例えば、ZC系列）をレプリカ信号として生成する。レプリカ生成部２１０は、生成したレプリカ信号を品質推定部２１１へ出力する。
【００５４】
品質推定部２１１は、端末１００に通知したSRSリソース情報に基づいて、復調・復号部２０７から入力される復号信号から、SRS受信信号を抽出する。そして、品質推定部２１１は、抽出したSRS受信信号と、レプリカ生成部２１０から入力されるレプリカ信号との相関演算結果から品質推定値を算出する。品質推定部２１０は、算出した品質推定結果をスケジューリング部２１２へ出力する。
【００５５】
スケジューリング部２１２は、品質推定部２１１から入力される品質推定結果に基づいてデータのスケジューリング（MCS（Modulation and Coding Scheme）設定、周波数リソース割当、送信電力制御等）を行う。また、スケジューリング部２１２は、データの割当周波数を考慮して、各端末１００のSRSリソース情報を決定し、制御情報生成部２０１に出力する。
【００５６】
［端末１００及び基地局２００の動作］
以上の構成を有する端末１００及び基地局２００における動作について詳細に説明する。
【００５７】
図８は端末１００（図６）の動作を示すフローチャートであり、図９は基地局２００（図７）の動作を示すフローチャートである。
【００５８】
端末１００は、基地局２００へ送信するSRSを生成する（ＳＴ１０１）。この際、端末１００は、SRSが割り当てられた周波数リソースで使用されるパラメータ、及び、SRSが割り当てられた周波数リソースに隣接し、SCSが異なる周波数リソースで使用されるパラメータに基づいて、異なるSCSの周波数リソースの境界（SCS境界）におけるSRSのpunctureサイズを決定する。
【００５９】
そして、端末１００は、決定したpunctureサイズでpunctureしたSRSを基地局２００へ送信する（ＳＴ１０２）。
【００６０】
一方、基地局２００は、端末１００から送信されるSRSと同様のレプリカ信号を生成する（ＳＴ２０１）。また、基地局２００は、端末１００から送信されるSRSを受信する（ＳＴ２０２）。そして、基地局２００は、受信したSRSと生成したレプリカ信号とを用いて上り品質を推定する（ＳＴ２０３）。
【００６１】
［punctureサイズの決定方法］
次に、端末１００（Punctureサイズ決定部１０５）及び基地局２００（Punctureサイズ決定部２０８）において、SRS（レプリカ信号）に対するPunctureサイズの決定方法（つまり、ＳＴ１０１及びＳＴ２０１の処理）について詳細に説明する。
【００６２】
複数の異なるSCSの信号が周波数領域で多重される環境において、端末１００は、端末１００が送信するSRSに割り当てられている周波数リソースと、SCS境界の位置とに応じて、punctureサイズを決定する。また、端末１００は、基地局２００から通知されたpunctureの制御情報（例えば、隣接する周波数リソースに関するパラメータ）に基づいて、punctureサイズを更に変更してもよい。
【００６３】
図１０及び図１１は、punctureサイズの決定方法の一例を示す。図１０は、SRSの後端（end side。ここでは高周波数側）をpunctureする例を示し、図１１は、SRSの前端（start side。ここでは低周波数側）をpunctureする例を示す。つまり、端末１００は、SRSが割り当てられた周波数リソースにおけるSCS境界の位置（つまり、隣接する周波数リソースとの位置関係）に応じて図１０又は図１１のようにpuncture処理を行う。
【００６４】
例えば、端末１００は、図１０及び図１１に示すように、SRSが割り当てられている周波数リソース（SRSの割当開始位置、割当終了位置）と、SCS境界の位置とに応じて次式（１）に従ってpunctureサイズ（Psize）を計算する。
【数１】
2018203440.tif 000003
【００６５】
端末１００は、計算したpunctureサイズが0より大きい場合（Psize>0）、SRSをpunctureする。すなわち、式（１）に示すように、端末１００は、SRSに割り当てられた周波数リソースのうち、SCS境界から、隣接する周波数リソース側に跨がる部分（「POSSRSend-POSboundary」又は「「POSboundary-POSSRSstart」」に相当）と、その反対側の部分（offsetに相当）とをpunctureする。
【００６６】
なお、SRS割当開始位置（POSSRSstart）、割当終了位置（POSSRSend）、異なるSCSの境界位置（POSboundary）、オフセット値(offset)は、DCI、MAC、RRC、システム情報（MIB（Master Information Block）又はSIB（System Information Block））の何れかの情報、もしくは、それらを複数、組み合わせて通知されてもよい。
【００６７】
また、異なるSCSを用いる周波数リソースの境界位置（POSboundary）、オフセット値（offset）が基地局２００から通知されず、punctureサイズ（Psize）が基地局２００から通知されて、端末１００が、通知されたpunctureサイズに基づいてSRSをpunctureしてもよい。これにより、異なるSCSの境界位置、オフセット値、puncture用の制御情報が不要となり、シグナリングのオーバヘッドを削減できる。
【００６８】
次に、端末１００（punctureサイズ決定部１０５）において、基地局２００から通知されたpuncture用制御情報に基づいてpunctureサイズを決定（調整）する具体例１〜４について説明する。
【００６９】
なお、以下では、説明の簡易化のため、図１０のSRSの割当終了位置（POSSRSend）又は図１１のSRSの割当開始位置（POSSRSstart）と、SCS境界位置（POSboundary）とを同一とする。つまり、式（１）において、「POSSRSend-POSboundary」又は「「POSboundary-POSSRSstart」」がゼロとなる。換言すると、以下では、式（１）におけるオフセット値（offset）の設定について説明する。ただし、具体例１〜４は、SRSの割当終了位置（POSSRSend）又はSRSの割当開始位置（POSSRSstart）と、SCS境界位置（POSboundary）とが異なる場合でも適用可能である。
【００７０】
＜具体例１＞
具体例１では、図１２に示すように、端末１００は、SRSが割り当てられている周波数リソースのSCS（SCS of resource #1）、又は、隣接する周波数リソースのSCS（SCS of resource #2）に基づいて、オフセット値（offset size X）を設定して、punctureサイズを決定する。
【００７１】
具体例１では、SCSが大きい周波数リソースに割り当てられたSRSに対するオフセット値を大きくし、punctureサイズ（Psize）を大きくする。
【００７２】
図１３は、SCSと設定されるオフセット値（offset size）との対応関係の一例を示す。図１３では、resource #2のSCSはresource #1のSCSよりも大きいため、resource #2に対するオフセット値は、resource #1に対するオフセット値よりも大きく設定されている。また、図１３に示すように、各周波数リソースのSCS間の差（比率）が大きいほど、各リソースに設定されるオフセット値間の差を大きくしてもよい。
【００７３】
なお、端末１００は、端末１００に対してオフセット値が既に通知されている場合、図１３に示す値によってオフセット値を上書きしてもよく、既に通知されたオフセット値に対して、図１３に示す値を加算してもよい。
【００７４】
また、図１３では、resource #2のSCSがresource #1のSCSよりも大きい場合について示したが、これに限定されず、resource #1のSCSがresource #2のSCSよりも大きい場合についても、同様にしてオフセット値が設定されればよい。つまり、SRSが割り当てられる周波数リソースのSCSが、隣接する周波数リソースのSCSよりも大きいほど、オフセット値が大きく設定され、SRSをパンクチャするpunctureサイズが大きくなる。
【００７５】
また、隣接する周波数リソース間でSCSが同じ場合には、inter-numerology干渉の発生を考慮する必要が無いので、オフセット値を0としてもよい。
【００７６】
また、punctureサイズ（Psize）が指示されている場合は、図１３においてオフセット値の代わりにpunctureサイズが規定されてもよい。
【００７７】
また、SCSに基づくオフセット値は、隣接するSRSの割り当てに関係なく、端末１００がSRSを送信する周波数リソースのSCS（図１２ではSCS of resource #1）に応じて、図１４に示すように設定されてもよい。図１４では、端末１００がSRSを送信する周波数リソース域のSCSが大きいほど、オフセット値が大きく設定され、SRSをパンクチャするpunctureサイズ（Psize）が大きくなる。
【００７８】
また、puncture用制御情報である各周波数リソースのSCS（例えば、図１２に示すSCS of resource #1及びSCS of resource #2）は、基地局２００の制御情報生成部２０１で生成され、DCI、MAC、RRC、システム情報（MIB又はSIB）のいずれかの情報、もしくは、それらを複数、組み合わせて通知されてもよい。また、周波数リソースとは、partial band毎、sub-band毎、サービス毎(eMBB, URLLC, mMTC)の周波数リソースと定義されてもよい。
【００７９】
次に、SCSに応じてオフセット値（punctureサイズ）を変更する効果について説明する。
【００８０】
図１５は、図１６に示すように、15kHz SCSの信号（サブキャリア番号19〜28）と、30kHz SCSの信号（サブキャリア番号0〜18）とが隣接する周波数リソースで多重される場合のinter-numerology干渉を評価した計算機シミュレーション結果を示す。
【００８１】
図１５に示すように、15kHz SCSの信号と、30kHz SCSの信号との境界（つまり、SCS境界位置）のinter-numerology干渉が大きくなっていることが分かる。さらに、図１５に示すように、30kHz SCS及び15kHz SCSのそれぞれの周波数リソースで発生するinter-numerology干渉は同じではなく、15kHz SCSに生じるinter-numerology干渉と比較して、30kHz SCSに生じるinter-numerology干渉の方が大きいことが分かる。
【００８２】
図１７は、図１５に示す信号のうち、15kHz SCSに割り当てた信号のSCS境界付近の一部（２サブキャリア（サブキャリア番号19,20に相当））をpunctureした場合のinter-numerology干渉を評価した計算機シミュレーション結果の一例を示す。また、図１８は、図１５に示す信号のうち、30kHz SCSに割り当てた信号のSCS境界付近の一部（２サブキャリア（サブキャリア番号15〜18に相当））をpunctureした場合のinter-numerology干渉を評価した計算機シミュレーション結果の一例を示す。
【００８３】
すなわち、図１７及び図１８において、punctureされるサブキャリア数は同数（２サブキャリア）である。
【００８４】
図１７及び図１８を比較すると、punctureするサブキャリア数（図１７，図１８では２サブキャリア）が同じ場合、SCSが大きい信号（ここでは、30kHz SCS）のpunctureサイズを大きくした方がinter-numerology干渉をより抑圧することができ、SRSによる品質推定精度をより向上できることが分かる。
【００８５】
このように、具体例１では、端末１００及び基地局２００は、SRSが割り当てられた周波数リソースのSCSが、隣接する周波数リソースのSCSより大きいほど、又は、SRSが割り当てられた周波数リソースのSCSが大きいほど、SRSに対するオフセット値Xを大きく設定し、punctureサイズを大きくする。これにより、inter-numerology干渉を抑圧し、punctureによるSRSの品質推定精度の劣化を抑圧することができる。
【００８６】
なお、図１３及び図１４に示すオフセット値は一例であって、これらの値に限定されるものではない。
【００８７】
＜具体例２＞
具体例２では、図１９に示すように、端末１００は、SRSが割り当てられている周波数リソース又は隣接する周波数リソースに割り当てられたSRSに用いられている拡張符号系列（拡張ZC系列）のextended partサイズに基づいて、オフセット値（X）を設定して、punctureサイズを決定する。
【００８８】
具体的には、端末１００は、extended partサイズが大きいSRSほど、オフセット値を大きくする。例えば、図１９では、resource #1に割り当てられたSRSに用いられるZC系列のextended partサイズE1は、resource #2に割り当てられたSRSに用いられるZC系列のextended partサイズE2よりも小さい。よって、resource #1に割り当てられたSRSに対するオフセット値（punctureサイズ）Xは、resource #2に割り当てられたSRSに対するオフセット値（punctureサイズ）Yよりも小さく設定される。
【００８９】
なお、extended partサイズに基づくオフセット値は、隣接する周波数リソースに割り当てられたSRSのextended partサイズに関係なく、端末１００がSRSを送信する周波数リソースのSRSのextended partサイズに応じて設定されてもよい。すなわち、端末１００が送信するSRSのextended partサイズが大きいほど、オフセット値が大きく設定され、SRSをパンクチャするpunctureサイズ（Psize）が大きくなる。
【００９０】
また、puncture用制御情報である隣接する周波数リソースに割り当てられたSRSに用いられるZC系列のextended partサイズは、基地局２００の制御情報生成部２０１で生成され、DCI、MAC、RRC、システム情報（MIB又はSIB）のいずれかの情報、もしくは、それらを複数、組み合わせて通知されてもよい。
【００９１】
また、SRSの符号系列長がsub-bandサイズに関連付けられている場合、端末１００は、sub-bandサイズから符号系列のextended partサイズを計算することも可能である。この場合、端末１００は、extended partサイズの代わりに、sub-bandサイズに基づいてオフセット値を設定してもよい。また、各周波数リソース域におけるsub-bandサイズは、extended partサイズと同様に、DCI、MAC、RRC、システム情報（MIB又はSIB）のいずれかの情報、もしくは、それらを複数、組み合わせて通知されてもよい。
【００９２】
ここで、SRSのpunctureサイズがextended part（又はrepeated part）より大きい場合には、extended partに加え、pure ZC partがpunctureされる可能性がある。pure ZC partがpunctureされると、extended part（又はrepeated part）のみがpunctureされる場合と比較して、ZC系列の特性（低PAPR/CM、低相互相関）がより大きく劣化する可能性がある。
【００９３】
よって、具体例２のように、端末１００及び基地局２００は、extended partサイズが大きいSRSのpunctureサイズを大きくし、extended partサイズが小さいSRSのpunctureサイズを小さくすることができる。これにより、pure ZC partがpunctureされる可能性を低減しつつ、inter-numerology干渉を抑圧することができる。また、具体例２によれば、punctureによるZCの特性劣化を抑えることができ、SRSによる品質推定精度を向上させることができる。
【００９４】
＜具体例３＞
具体例３では、図２０、図２１に示すように、端末１００は、SRSが割り当てられている周波数リソースに隣接する周波数リソースに割り当てられた信号のチャネル種別又はサービス種別に基づいて、オフセット値（X）を設定して、punctureサイズを決定する。
【００９５】
具体的には、端末１００は、隣接する周波数リソースに割り当てられた信号のチャネル又はサービス種別の優先度が高いほど、SRSに対するオフセット値（punctureサイズ）を大きくする。図２１に示す一例では、PUCCH、PUSCH（Physical Uplink Shared Channel）、SRSの順に優先度が高く、端末１００が送信するSRSの周波数リソースに隣接する周波数リソースに割り当てられる信号がPUCCH、PUSCH、SRSである順に、端末１００が送信するSRSに対するオフセット値（punctureサイズ）Xは、より大きく設定される。
【００９６】
例えば、図２０では、SRSの周波数リソース（resource #1）に隣接する周波数リソース（resource #2）にPUSCHが割り当てられている。この場合、端末１００は、図２１に示すように、SRSに対するオフセット値X=3を設定する。
【００９７】
なお、puncture用制御情報である隣接するリソースに割り当てられた信号のチャネル種別又はサービス種別は、基地局２００の制御情報生成部２０１で生成され、DCI、MAC、RRC、システム情報（MIB又はSIB）のいずれかの情報、もしくは、それらを複数、組み合わせて通知されてもよい。
【００９８】
このように、具体例３では、SRSの周波数リソースに隣接する周波数リソースのチャネル種別又はサービス種別の優先度が高いほど、SRSのオフセット値（punctureサイズ）を大きくする。これにより、隣接する周波数リソースの重要度が高いチャネル・サービスに対してSRSが与える干渉をより低減することができ、隣接する周波数リソースのチャネル・サービスの受信品質を向上させることができる。
【００９９】
なお、図２２に示すように、SRSのオフセット値が大きくなるほど、隣接する周波数リソースのチャネル・サービス（例えば、他のUEが使用するチャネル・サービス）に対して適用するオフセット値（punctureサイズ）を小さくしてもよい。例えば、この隣接する周波数リソースのチャネル・サービスを利用するUE（図示せず）は、図２２のように設定されたオフセット値を用いて、当該チャネル・サービスの信号に対してpunctureする。すなわち、隣接する周波数リソースのチャネル・サービスの優先度が高いほど、当該チャネル・サービスに対して適用するオフセット値（punctureサイズ）は小さく設定される。これにより、重要なチャネル・サービスほど、SRSに対するpunctureサイズを大きくする一方で、当該チャネル・サービスに対するpunctureサイズを小さくすることができる。このように、隣接する周波数リソースのチャネル・サービスに応じて、SRS及びチャネル・サービスの信号の双方のpunctureサイズも併せて変更することで、inter-numerology干渉をより抑圧することができる。
【０１００】
また、図２２に示すチャネル種別は一例であり、これらに限定されるものではない。すなわち、他のチャネル種別、又は、サービス種別（例えば、eMBB、URLLC、mMTC等）に対して、SRSに対するオフセット値が設定されてもよい。
【０１０１】
＜具体例４＞
具体例４では、端末１００は、SRSの電力スペクトル密度（PSD：Power Spectral Density）、及び、SRSが割り当てられている周波数リソースに隣接する周波数リソースに割り当てられた信号のPSDに基づいて、オフセット値（X）を設定し、punctureサイズを決定する。
【０１０２】
具体的には、端末１００は、隣接するリソースに割り当てられた信号のPSDが、SRSのPSDより低いほど、SRSのオフセット値（punctureサイズ）を大きく設定する。
【０１０３】
なお、puncture用の制御情報である隣接するリソースに割り当てられた信号のPSDは、基地局２００の制御情報生成部２０１で生成され、DCI、MAC、RRC、システム情報（MIB又はSIB）のいずれかの情報、もしくは、それらを複数、組み合わせて通知されてもよい。
【０１０４】
また、チャネルの種別毎に目標とするPSDが規定される場合は、端末１００は、具体例３と同様に、チャネルの種別に応じてオフセット値を変更してもよい。
【０１０５】
ここで、隣接する周波数リソースに割り当てられた信号のPSDが低いほど、SRSが与えるinter-numerology干渉の影響はより大きくなる。これに対して、具体例４では、SRSのPSDと比較して、隣接する周波数リソースに割り当てられた信号のPSDが低いほど、SRSのオフセット値（punctureサイズ）を大きくする。これにより、隣接する周波数リソースに割り当てられた信号のPSDが小さい場合でも、端末１００が送信するSRSが当該信号に与える干渉をより低減することができ、隣接する周波数リソース（チャネル）の受信品質を向上させることができる。
【０１０６】
以上、punctureサイズを変更する具体例１〜４について説明した。
【０１０７】
以上説明したように、本実施の形態では、端末１００は、SRSが割り当てられた周波数リソースのパラメータ、及び、SCSが異なる隣接周波数リソースのパラメータに基づいて、SCS境界においてSRSをパンクチャする際のpunctureサイズを決定する。
【０１０８】
これにより、図３に示すようにSCS境界の周辺にSRSが配置される場合でも、SRSが割り当てられる周波数リソース及び隣接周波数リソースのパラメータ（例えば、SCS、extended partサイズ、チャネル・サービス種別、PSD等）に応じて、inter-numerology干渉及び信号の受信品質を考慮して、SRSに対するpunctureサイズを適切に決定することができる。
【０１０９】
よって、本実施の形態によれば、異なるSCSの周波数リソースの境界にSRSが配置される場合でも、端末１００は、SRS用符号系列を適切に生成して送信することができる。
【０１１０】
（実施の形態２）
実施の形態１では、図３に示すように、SRSが割り当てられている周波数リソースとSCS境界の位置とに応じてpunctureサイズを決定し、さらに、puncture用制御情報を用いてpunctureサイズ（例えば、オフセット値）を調整することで、効率的にinter-numerology干渉を抑圧する方法について説明した。
【０１１１】
これに対して、本実施の形態では、図４に示すように、SRSが割り当てられている周波数リソースと、他のチャネル又はサービスで使用されている周波数リソースとが重複する場合に、SRSをpunctureする方法について説明する。
【０１１２】
なお、本実施の形態に係る端末及び基地局は、実施の形態１に係る端末１００及び基地局２００と基本構成が共通するので、図６及び図７を援用して説明する。本実施の形態では、端末１００のPunctureサイズ決定部１０５及び基地局２００のPunctureサイズ決定部２０８の動作が実施の形態１と異なる。
【０１１３】
具体的には、端末１００及び基地局２００は、SRSが割り当てられた周波数リソースのうち、SRS以外の他のチャネル又はサービスの信号が割り当てられた周波数リソースと重複する部分をpunctureする。すなわち、端末１００及び基地局２００は、SRSが割り当てられている周波数リソースと、他のチャネル又はサービス送信用に指示された隣接する周波数リソースとを比較し、重複した周波数リソースにおいてSRS（又はレプリカ信号）をpunctureする。
【０１１４】
つまり、Punctureサイズ決定部１０５，２０８は、SRSが割り当てられた周波数リソースと、他のチャネル又はサービス送信用に指示された隣接する周波数リソースとが重複する領域をPunctureサイズとして決定する。
【０１１５】
ここで、他のチャネル又はサービスとは、例えば、URLLC、CSI-RS（Channel State Information - Reference Signal）、PRS（Positioning Reference Signal）、PUSCH、PUCCH、SS（Synchronization signal）、PBCH（Physical Broadcast Channel）である。なお、他のチャネル又はサービスはこれらに限定されるものではない。
【０１１６】
これらのチャネル又はサービスのリソース情報は、基地局２００の制御情報生成部２０１で生成され、DCI、MAC、RRC、システム情報（MIB又はSIB）のいずれかの情報、もしくは、それらを複数、組み合わせて通知されてもよい。また、SS及びPBCHのリソースは、上記制御情報で通知又はスペックで規定される。なお、CSI-RS、PRS、SS及びPBCHは、下り用制御信号であるため、SRSとこれらのチャネルの周波数リソースが重複するケースは、full duplexを適用した場合（上り信号と下り信号とが同一タイミングで周波数リソースに多重される場合）である。
【０１１７】
このように、本実施の形態によれば、端末１００は、punctureサイズ又はpuncture用制御情報の通知無しで、他のチャネルと重複したリソースにおいてSRSをpunctureすることができる。このため、punctureサイズを通知するシグナリングオーバヘッドを削減することができる。
【０１１８】
また、本実施の形態では、端末１００は、他のチャネルと重複したリソースにおいてSRSをpunctureすることで、SRSと他のチャネルとの衝突を防ぐことができるため、受信性能を向上させることができる。
【０１１９】
（実施の形態３）
本実施の形態に係る端末及び基地局は、実施の形態１に係る端末１００及び基地局２００と基本構成が共通するので、図６及び図７を援用して説明する。
【０１２０】
実施の形態１、２で説明したようにPunctureサイズ決定部１０５，２０８で計算したpunctureサイズが大きい場合、extended ZC系列のpunctureサイズが大きくなり、ZC系列の特性（低PAPR/CM、低相互相関）が大きく劣化する可能性がある。特に、punctureサイズがextended part（すなわち、repeated part）のサイズよりも大きい場合には、pure ZC partがpunctureされてしまうため、ZC系列の特性劣化はより大きくなる。
【０１２１】
そこで、本実施の形態では、端末１００及び基地局２００は、決定したPunctureサイズでZC系列をPunctureした場合にZC系列の特性が劣化すると判断した場合、ZC系列の特性劣化を防ぐために、SRS生成方法を切り替える。
【０１２２】
本実施の形態では、端末１００のSRS生成指示部１０６及び基地局２００のSRS生成指示部２０９の動作が実施の形態１又は２と異なる。
【０１２３】
具体的には、SRS生成指示部１０６，２０９は、Punctureサイズ決定部１０５，２０８で求めたSRSのpunctureサイズに基づいて、punctureサイズが閾値よりも大きい場合には、ZC系列の特性が劣化すると判断して、SRS用符号系列の生成方法を切り替える。そして、SRS生成指示部１０６，２０９は、切替後のSRS生成方法に基づいて、SRS用符号系列の系列長（例えば、pure ZC partのサイズ)、系列番号、extended partサイズ、punctureサイズなどを決定する。
【０１２４】
そして、SRS生成部１０７及びレプリカ生成部２１０は、SRS生成指示部１０６，２０９で決定されたパラメータに従って、SRS（レプリカ信号）を生成する。つまり、SRS生成部１０７及びレプリカ生成部２１０は、SRSをパンクチャするpunctureサイズに基づいて、SRSを生成する方法を変更する。
【０１２５】
以下、SRS用符号系列（例えば、ZC系列）の生成方法の具体例１〜３について説明する。
【０１２６】
＜具体例１＞
具体例１では、punctureサイズが次式（２）を満たす場合、SRS生成指示部１０６，２０９は、SRS用符号系列のExtended partを未送信に設定する。換言すると、punctureサイズが次式（２）を満たす場合、SRS生成指示部１０６，２０９は、punctureサイズをextended partサイズ（又はrepeated partサイズ）に再設定する。
【数２】
2018203440.tif 000004
【０１２７】
すなわち、SRS生成指示部１０６，２０９は、Punctureサイズ決定部１０５，２０８で決定されたpunctureサイズがextended partサイズに近似する場合、punctureサイズをextended partサイズに変更する。
【０１２８】
なお、閾値αは、スペックで規定されてもよく、DCI、MAC、RRC、システム情報（MIB又はSIB)の何れかの情報、もしくは、それらを複数、組み合わせて通知されてもよい。
【０１２９】
このように、具体例１では、端末１００及び基地局２００は、punctureサイズとextended partサイズに基づいてZC系列の特性が劣化すると判断した場合には、Extended partを未送信、つまり、PureなZC系列をSRS用符号系列とすることで、ZC系列の特性劣化を防止し、ZC系列の特性を維持することができる。すなわち、端末１００及び基地局２００は、PureなZC系列がpunctureされないように、punctureサイズを設定する。
【０１３０】
図２３は、extended ZC系列（つまり、extended partサイズ＞１）及びPure ZC系列（つまり、extended partサイズが０）の双方の相互相関特性の一例を示す。図２３に示すように、extended partサイズを０にすることで、相互相関特性が大きく改善することが分かる。
【０１３１】
よって、具体例１によれば、ZC系列の相互相関特性が改善することにより、SRSによる品質推定精度を向上させることができる。
【０１３２】
＜具体例２＞
具体例２では、punctureサイズが閾値を超える場合、SRS生成指示部１０６，２０９は、図２４に示すように、LTEの方法のようにSRS（extended ZC系列）が割り当てられた周波数リソース（SRリソースサイズ）ではなく、SRSリソースサイズからpunctureサイズを引いた後のリソースサイズに基づいて、新たなextended ZC系列を生成するように設定する。
【０１３３】
すなわち、SRS生成部１０７及びレプリカ生成部２１０は、punctureサイズが閾値以上の場合、SRSが割り当てられた周波数リソースサイズ（第１のリソースサイズ）からpunctureサイズを引いた後の周波数リソースサイズ（第２のリソースサイズ）以下の素数を系列長とする符号系列から、上記第２のリソースサイズのSRSを生成する。
【０１３４】
例えば、新たなextended ZC系列を生成する際に用いるPure ZC partの系列長（ZCLengthpure）は次式（３）で表される。
【数３】
2018203440.tif 000005
【０１３５】
なお、関数primes(X)は、X以下の全ての素数の内の最大値を取得することを意味する。
【０１３６】
また、閾値は、スペックで規定されてもよく、DCI、MAC、RRC、システム情報(MIB又はSIB)の何れかの情報、もしくは、それらを複数、組み合わせて通知してもよい。
【０１３７】
例えば、閾値は、extended partサイズと同一でもよく、extended partサイズに近似する値でもよい。すなわち、SRS生成指示部１０６，２０９は、図２４に示すように、Punctureサイズ決定部１０５，２０８で決定されたpunctureサイズがextended partサイズより大きく、pure ZC partもpunctureされる可能性がある場合には、SRS符号系列に使用するZC系列の系列長（ZCLengthsize）を短く再設定する。
【０１３８】
これにより、図２４に示すように、新たに生成されるSRS符号系列において、pure ZC partはpunctureされない。すなわち、具体例２では、SRSリソースサイズから、punctureサイズを引いた後のリソースサイズとなるextended ZC系列を生成することで、extended ZC系列の特性を維持することができる。
【０１３９】
図２５は、SRSリソースサイズ（R_SRSsize）に基づいてextended ZC系列を生成した後にpunctureする方法（「no punctured resource based」）、及び、具体例２に係るSRSリソースサイズから、punctureサイズを引いた後のリソースサイズ（R_SRSsize-Psize）に基づいてextended ZC系列を生成する方法（「punctured resource based」）のCM特性を計算機シミュレーションによりそれぞれ評価した結果を示す。図２５に示すように、具体例２の方法では、SRSリソースサイズに基づいてextended ZC系列を生成した後にpunctureする方法よりもCM特性が改善していることが分かる。
【０１４０】
よって、具体例２によれば、CM特性劣化による端末１００の最大送信電力の低下を防ぐことができる。
【０１４１】
＜具体例３＞
具体例３では、punctureサイズが閾値を超える場合、SRS生成指示部１０６，２０９は、SRSをドロップするように設定する。つまり、端末１００（無線送信部１０９）は、punctureサイズが閾値以上の場合、SRSをドロップする。
【０１４２】
なお、閾値は、スペックで規定されてもよく、DCI、MAC、RRC、システム情報(MIB又はSIB)の何れかの情報、もしくは、それらを複数、組み合わせて通知してもよい。
【０１４３】
例えば、閾値は、extended partサイズと同一でもよく、extended partサイズに近似する値でもよい。
【０１４４】
このように、端末１００は、Punctureサイズ決定部１０５で決定されたpunctureサイズがextended partサイズより大きく、pure ZC partもpunctureされてしまう場合には、SRSをドロップする。こうすることで、具体例３では、punctureによるextended ZC系列の特性劣化により相互相関特性が劣化したSRSが、他のSRSに干渉を与える影響を防ぐことができる。
【０１４５】
以上、SRS用符号系列の生成方法の具体例１〜３について説明した。
【０１４６】
このように、本実施の形態では、端末１００は、SRSをpunctureするpunctureサイズに基づいて、SRSを生成する方法を変更し、変更後の方法を用いて生成されたSRSを送信する。これにより、本実施の形態によれば、端末１００は、符号系列の特性を劣化させることなく、SRSをpunctureして送信することができるので、inter-numerology干渉を抑圧しつつ、SRSによる品質推定精度をより向上できることができる。
【０１４７】
以上、本開示の各実施の形態について説明した。
【０１４８】
なお、本開示において各実施の形態を組み合わせて使用してもよい。例えば、実施の形態１と実施の形態２とを組み合わせた方法について説明する。例えば、端末１００は、実施の形態２で説明したようにSRSと隣接するリソースのチャネルとで重複するリソースに応じてSRSのpunctureサイズを決定後、SRSが割り当てられたリソースのSCSと、当該SRSとリソースが重複するチャネルのSCSとが異なる場合には、更に、実施の形態１で説明したように、SCSの差異による追加のpunctureサイズの変更（例えば、図１３を参照）を加えてもよい。これにより、SRSとリソースが重複するチャネルによる干渉、及び、inter-numerology干渉を抑えられ、かつ、SRSによる品質推定精度を向上させることができる。
【０１４９】
また、端末１００は、SRSをpunctureする場合、punctureサイズに応じて、SRSのPSDを増加させてもよく、punctureサイズに関係なく、SRSのPSDを一定にする制御を行ってもよい。punctureが行われる際にSRSのPSDを増加させることで、SRSの受信品質を向上させる効果が得られる。また、Punctureの有無によらず、PSDを一定にすることで他セル干渉レベルが一定になり、スケジューリング性能が向上できる。
【０１５０】
また、DCIには、NRで追加されたGroup common PDCCHで送信される制御情報も含む。
【０１５１】
また、上記実施の形態はSRSに限るものでもなく、ZC系列などの符号系列を使用する別のチャネルに適用してもよい。
【０１５２】
本開示はソフトウェア、ハードウェア、又は、ハードウェアと連携したソフトウェアで実現することが可能である。上記実施の形態の説明に用いた各機能ブロックは、部分的に又は全体的に、集積回路であるＬＳＩとして実現され、上記実施の形態で説明した各プロセスは、部分的に又は全体的に、一つのＬＳＩ又はＬＳＩの組み合わせによって制御されてもよい。ＬＳＩは個々のチップから構成されてもよいし、機能ブロックの一部または全てを含むように一つのチップから構成されてもよい。ＬＳＩはデータの入力と出力を備えてもよい。ＬＳＩは、集積度の違いにより、ＩＣ、システムＬＳＩ、スーパーＬＳＩ、ウルトラＬＳＩと呼称されることもある。集積回路化の手法はＬＳＩに限るものではなく、専用回路、汎用プロセッサ又は専用プロセッサで実現してもよい。また、ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。本開示は、デジタル処理又はアナログ処理として実現されてもよい。さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１５３】
本開示の端末は、参照信号が割り当てられた第１の周波数リソースのパラメータ、及び、前記第１の周波数リソースに隣接し、前記第１の周波数リソースで用いるサブキャリア間隔と異なるサブキャリア間隔を用いる第２の周波数リソースのパラメータに基づいて、前記第１の周波数リソースと前記第２の周波数リソースとの境界において前記参照信号をパンクチャする回路と、前記パンクチャされた参照信号を送信する送信機と、を具備する。
【０１５４】
本開示の端末において、前記第１の周波数リソースのサブキャリア間隔が、前記第２の周波数リソースのサブキャリア間隔よりも大きいほど、前記参照信号をパンクチャするpunctureサイズは大きい。
【０１５５】
本開示の端末において、前記第１の周波数リソースのサブキャリア間隔が大きいほど、前記参照信号をパンクチャするpunctureサイズは大きい。
【０１５６】
本開示の端末において、前記参照信号は、符号系列の部分と、前記符号系列の一部をコピーした拡張部分とからなる拡張符号系列であり、前記拡張部分のサイズが大きいほど、前記参照信号をパンクチャするpunctureサイズは大きい。
【０１５７】
本開示の端末において、前記回路は、前記第２の周波数リソースで使用されるチャネル種別又はサービス種別の優先度が高いほど、前記参照信号をパンクチャするpunctureサイズは大きい。
【０１５８】
本開示の端末において、前記第２の周波数リソースに割り当てられる信号の電力スペクトル密度（PSD）が、前記参照信号のPSDより低いほど、前記参照信号をパンクチャするpunctureサイズは大きい。
【０１５９】
本開示の端末は、参照信号が割り当てられた周波数リソースのうち、前記参照信号以外の他のチャネルが割り当てられた周波数リソースと重複する部分をパンクチャする回路と、前記パンクチャされた参照信号を送信する送信機と、を具備する。
【０１６０】
本開示の端末は、参照信号をパンクチャするpunctureサイズに基づいて、前記参照信号を生成する方法を変更する回路と、前記変更後の方法を用いて生成された前記参照信号を送信する送信機と、を具備する。
【０１６１】
本開示の端末において、前記参照信号は、符号系列の部分と、前記符号系列の一部をコピーした拡張部分とからなる拡張符号系列であり、前記回路は、前記punctureサイズが閾値以上の場合、前記punctureサイズを前記拡張部分のサイズに変更する。
【０１６２】
本開示の端末において、前記回路は、前記punctureサイズが閾値以上の場合、前記参照信号が割り当てられた第１のリソースサイズから前記punctureサイズを引いた後の第２のリソースサイズ以下の素数を系列長とする符号系列から、前記第２のリソースサイズの参照信号を生成する。
【０１６３】
本開示の端末において、前記送信機は、前記punctureサイズが閾値以上の場合、前記参照信号をドロップする。
【０１６４】
本開示の通信方法は、参照信号が割り当てられた第１の周波数リソースのパラメータ、及び、前記第１の周波数リソースに隣接し、前記第１の周波数リソースで用いるサブキャリア間隔と異なるサブキャリア間隔を用いる第２の周波数リソースのパラメータに基づいて、前記第１の周波数リソースと前記第２の周波数リソースとの境界において前記参照信号をパンクチャし、前記パンクチャされた参照信号を送信する。
【０１６５】
本開示の通信方法は、参照信号が割り当てられた周波数リソースのうち、前記参照信号以外の他のチャネルが割り当てられた周波数リソースと重複する部分をパンクチャし、前記パンクチャされた参照信号を送信する。
【０１６６】
本開示の通信方法は、参照信号をパンクチャするpunctureサイズに基づいて、前記参照信号を生成する方法を変更し、前記変更後の方法を用いて生成された前記参照信号を送信する。
【０１６７】
本開示の一態様は、移動通信システムに有用である。
【符号の説明】
【０１６８】
１００  端末
１０１，２０５  アンテナ
１０２，２０６  無線受信部
１０３  復調・復号部
１０４，２０２  制御情報保持部
１０５，２０８  Punctureサイズ決定部
１０６，２０９  SRS生成指示部
１０７  SRS生成部
１０８  リソース割当部
１０９，２０４  無線送信部
２００  基地局
２０１  制御情報生成部
２０３  変調・符号化部
２０７  復調・復号部
２１０  レプリカ生成部
２１１  品質推定部
２１２  スケジューリング部
【図１】
2018203440.tif 000006
【図２】
2018203440.tif 000007
【図３】
2018203440.tif 000008
【図４】
2018203440.tif 000009
【図５】
2018203440.tif 000010
【図６】
2018203440.tif 000011
【図７】
2018203440.tif 000012
【図８】
2018203440.tif 000013
【図９】
2018203440.tif 000014
【図１０】
2018203440.tif 000015
【図１１】
2018203440.tif 000016
【図１２】
2018203440.tif 000017
【図１３】
2018203440.tif 000018
【図１４】
2018203440.tif 000019
【図１５】
2018203440.tif 000020
【図１６】
2018203440.tif 000021
【図１７】
2018203440.tif 000022
【図１８】
2018203440.tif 000023
【図１９】
2018203440.tif 000024
【図２０】
2018203440.tif 000025
【図２１】
2018203440.tif 000026
【図２２】
2018203440.tif 000027
【図２３】
2018203440.tif 000028
【図２４】
2018203440.tif 000029
【図２５】
2018203440.tif 000030
【国際調査報告】
2018203440.tif 000031
2018203440.tif 000032
2018203440.tif 000033
2018203440.tif 000034
2018203440.tif 000035
2018203440.tif 000036